(57)【特許請求の範囲】
【請求項１】
計算機能を備えた金銭登録機と、入出金に使用される貨幣処理装置とで金銭出納機を形成する貨幣入出金装置であって、上記貨幣処理装置として硬貨を入出金する硬貨入出金装置と、紙幣を入出金する紙幣入出金装置と、貨幣を保管する貨幣保管装置とが備えられ、これら硬貨入出金装置、紙幣入出金装置および貨幣保管装置はそれぞれ上面が略偏平でかつ略同一高さに寸法設定され、上記硬貨入出金装置、紙幣入出金装置および貨幣保管装置の内のいずれか２台を選択的に取替え可能に上記金銭登録機と組み合わせることにより、上記金銭出納機が形成され、上記硬貨入出金装置、紙幣入出金装置および貨幣保管装置の内の選択した２台を並列配置し、その上に直に金銭登録機を配置することを特徴とする貨幣入出金装置。
【請求項２】
上記金銭登録機に入力操作部が設けられているとともに、上記硬貨入出金装置および紙幣入出金装置に貨幣の入出金動作を行う入出金動作部と、金銭登録機に対して着脱可能な電気接続部とが設けられていることを特徴とする請求項１記載の貨幣入出金装置。
【請求項３】
上記硬貨入出金装置、紙幣入出金装置および貨幣保管装置の内から選択された２台は、金銭登録機に対し一方を介して他方に電気的に接続されていることを特徴とする請求項１または２記載の貨幣入出金装置。
【発明の詳細な説明】
【０００１】
【発明の属する技術分野】
本発明は、各種の商店で顧客から預かった貨幣を入金するとともに、この入金に対する釣銭の出金を行う用に供される貨幣入出金装置に関するものである。
【０００２】
【従来の技術】
従来、各種の商店において顧客との貨幣の受渡しを確実に行うとともに、入金された金額を記録して入出金管理を援助するように構成された、例えば特開平１０−４０４３７号公報に記載されたような貨幣入出金装置が知られている。この貨幣入出金装置は、金銭登録機に相当するＰＯＳ端末機を、紙幣入出金処理部と硬貨入出金処理部とが１つの箱型のケーシングに内装された一体型の偏平な貨幣入出金機の上に載置してなるものである。
【０００３】
ＰＯＳ端末機には、入金される金額や入出金のための指示を入力する入力キーが設けられ、紙幣入出金処理部および硬貨入出金処理部には、それぞれ紙幣および硬貨を収納する収納部が設けられているとともに、紙幣入金口および紙幣出金口、並びに硬貨入金口および硬貨出金口がそれぞれ設けられ、紙幣入金口あるいは硬貨入金口から入金された貨幣は、その金種や金額が識別部で識別されて記録されたのち所定の収納部に収納され、ＰＯＳ端末機の入力キーからの所定の入力操作で所定の金額の出金が紙幣出金口あるいは硬貨出金口を通して行われるようになっている。
【０００４】
【発明が解決しようとする課題】
ところで、貨幣入出金装置を実際に使用するに当って、金銭登録機と紙幣入出金処理部とを組み合わせたものが便利であり、特に硬貨入出金処理部は不要であるというユーザーもいれば、逆に硬貨入出金処理部は必要であるが、紙幣入出金処理部は不要であるというユーザーもいる。しかしながら従来の上記のような貨幣入出金装置は、紙幣入出金処理部と硬貨入出金処理部とがケーシングに一体に組み込まれて形成されているため、例えば硬貨入金ユニットが不要なユーザーにとっては過剰装置になっており、その分装置コストが嵩んで高価なものになっている。このことについては紙幣入出金処理部が不要なユーザーにとっても同様である。
【０００５】
本発明は、上記のような問題点を解決するためになされたものであり、ユーザーの要望に応じて適宜必要なユニットを組み合わせることによって所望の貨幣出納機を得ることができるとともに、各ユニットを組み合わせても場所を取らない貨幣入出金装置を提供することを目的としている。
【０００６】
【課題を解決するための手段】
本発明の請求項１記載の貨幣入出金装置は、計算機能を備えた金銭登録機と、入出金に使用される貨幣処理装置とで金銭出納機を形成する貨幣入出金装置であって、上記貨幣処理装置として硬貨を入出金する硬貨入出金装置と、紙幣を入出金する紙幣入出金装置と、貨幣を保管する貨幣保管装置とが備えられ、これら硬貨入出金装置、紙幣入出金装置および貨幣保管装置はそれぞれ上面が略偏平でかつ略同一高さに寸法設定され、上記硬貨入出金装置、紙幣入出金装置および貨幣保管装置の内のいずれか２台を選択的に取替え可能に上記金銭登録機と組み合わせることにより、上記金銭出納機が形成され、上記硬貨入出金装置、紙幣入出金装置および貨幣保管装置の内の選択した２台を並列配置し、その上に直に金銭登録機を配置することを特徴とするものである。
【０００７】
この貨幣入出金装置によれば、貨幣入出金装置、紙幣入出金装置および貨幣保管装置の内の所望のものいずれか２種類を選択し、これら２種類のものと金銭登録機とで金銭出納機を構成することにより、得られた金銭出納機は、不要な貨幣処理装置が付設されていない、すなわち過剰装置になっていないユーザーが実質的に所望するものになっており、不要な機能が負荷されていない分、金銭出納機を安価なものにすることができる。
【０００８】
そして、硬貨入出金装置、紙幣入出金装置および貨幣保管装置はそれぞれ上面が略偏平でかつ略同一高さ寸法に設定されているため、選択された２種類の貨幣入出金装置は、それらを並設することによってそれぞれの上面が略面一状態になる。従って、並設された２台の上面を各種の物品を載置するテーブル等として有効に利用することが可能になる。
【０００９】
そして、硬貨入出金装置と貨幣保管装置とを並置することにより上記三者からなる金銭出納機が形成される。かかる金銭出納機は、貨幣を硬貨で受け取って取引を行う場合が多い業種用のものとして適している。
【００１０】
また、紙幣入出金装置と貨幣保管装置とを並置することにより上記三者からなる金銭出納機が形成される。かかる金銭出納機は、貨幣を紙幣で受け取って取引を行う場合が多い業種用のものとして適している。
【００１１】
さらに、硬貨入出金装置と紙幣入出金装置とを並置することにより上記三者からなる金銭出納機が形成される。かかる金銭出納機は、貨幣を硬貨および紙幣の双方で受け取ることが多い業種用のものとして適している。
【００１２】
そして、硬貨入出金装置、紙幣入出金装置および貨幣保管装置の内の選択した２台を並列配置し、その上に直に金銭登録機を配置するようにしているため、並設された２台の上に金銭登録機を安定した状態で載置することが可能になり、２台の貨幣処理装置に並べて金銭登録機を配置する場合に比較して金銭出納機の占有面積が小さくなってその分金銭登録機の近傍の平面を物品の載置面やテーブルとして有効に利用することが可能になる。
【００１３】
本発明の請求項２記載の貨幣入出金装置は、請求項１記載の貨幣入出金装置において、上記金銭登録機に入力操作部が設けられているとともに、上記硬貨入出金装置および紙幣入出金装置に貨幣の入出金動作を行う入出金動作部と、金銭登録機に対して着脱可能な電気接続部とが設けられていることを特徴とするものである。
【００１４】
この貨幣入出金装置によれば、金銭登録機の入力操作部に対する所定の入力操作によって電気的に接続されている硬貨入出金装置あるいは紙幣入出金装置の入出金動作部を動作させることが可能になり、これによって特に硬貨入出金装置や紙幣入出金装置を操作しなくても貨幣の入出金処理を行うことが可能になる。
【００１５】
本発明の請求項３記載の貨幣入出金装置は、請求項１または２記載の貨幣入出金装置において、上記硬貨入出金装置、紙幣入出金装置および貨幣保管装置の内から選択された２台は、金銭登録機に対し一方を介して他方に電気的に接続されていることを特徴とするものである。
【００１６】
この貨幣入出金装置によれば、金銭登録機に接続用の端子を１つだけ設けておくことで、２台の入出金装置を金銭登録機に接続することが可能になり、その分金銭登録機の部品コストおよび組付けコストが軽減される。
【００１７】
【発明の実施の形態】
図１は、本発明の貨幣入出金装置の一実施形態を示す斜視図である。なお、図１において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。この図に示すように、貨幣入出金装置１は、電子式の金銭登録機２と、この金銭登録機２に対して２種類のものが選択的に接続される３種類の貨幣処理装置３とからなる基本構成を有している。上記貨幣処理装置３としては、硬貨入出金装置４、紙幣入出金装置５および貨幣保管装置６が採用されている。
【００１８】
そして、金銭登録機２に硬貨入出金装置４および貨幣保管装置６とが接続されることにより、第１金銭出納機１１（図５）が形成され、金銭登録機２に紙幣入出金装置５および貨幣保管装置６が接続されることにより第２金銭出納機１２（図６）が形成され、金銭登録機２に硬貨入出金装置４および紙幣入出金装置５が接続されることにより第３金銭出納機１３（図７）が形成されるようになっている。
【００１９】
上記金銭登録機２は、前方が段状で先下がりに低位に形成された異型箱型のケーシング２１に所定の電子機器が内装されて形成されている。かかるケーシング２１の前方上面には操作パネル部２２が形成され、この操作パネル部２２には、テンキーが配列された金額入力部２２ａと、各種の制御用あるいは操作用の入力キーが配列された操作用入力部２２ｂが設けられている。また、パネル部２２の中央上部にはキー孔２２ｃが設けられ、このキー孔２２ｃに図略のコントロールキーを差し込んで操作することにより、金銭登録機２における登録モード、設定モード、点検モードあるいは精算モード間のモード切り換えを行い得るようになっている。上記金額入力部２２ａと操作用入力部２２ｂとキー孔２２ｃとで本発明の入力操作部が形成されている。
【００２０】
また、操作パネル部２２の後方における前方に向いたケーシング２１の傾斜面に出力パネル２３が形成され、この出力パネル２３の右方部分に金額入力部２２ａから入力した金額等の数値などを表示するディスプレー２４が設けられているとともに、出力パネル２３の左方部分には入力金額や釣銭等が印刷されたレシートを出力するレシート発行口２５が設けられている。
【００２１】
そして、金額入力部２２ａや操作用入力部２２ｂからの入力データに基づいて、組み合わせて使用される硬貨入出金装置４、紙幣入出金装置５あるいは貨幣保管装置６が入金および出金に必要な所定の動作を行い、これによって第１〜第３金銭出納機１１，１２，１３が後に詳述するそれぞれ独自の所定の機能を果たすようになっている。
【００２２】
この機能を果たすために、金銭登録機２にはマイクロコンピュータからなる統括制御手段２６が内装されているとともに、硬貨入出金装置４および紙幣入出金装置５に硬貨制御手段４０１および紙幣制御手段５０１がそれぞれ内装されている。そして、統括制御手段２６からは、硬貨入出金装置４および紙幣入出金装置５に向けて釣銭情報が出力されるとともに、この釣銭情報を受けた硬貨制御手段４０１および紙幣制御手段５０１は、それぞれ所定の機器に駆動信号を出力し、これによって釣銭が払い出されるようになっている。また、硬貨入出金装置４および紙幣入出金装置５は、ローカルな入出金処理（釣銭用の貨幣の入金や、入金されている貨幣のチェック等）については、硬貨制御手段４０１および紙幣制御手段５０１が統括制御手段２６から独立して独自に制御すようになっている。なお、貨幣保管装置６は、ローカルな制御手段を介さずに金銭登録機２と直結され、操作用入力部２２ｂからの入力信号によって貨幣収納ボックス６２を開閉させることができるようになっている。
【００２３】
上記硬貨入出金装置４は、前後方向に長尺の箱型を呈したケーシング４１に所定の機器が内装されて形成されている。かかるケーシング４１の前方上面には、操作キー４２ａおよびＬＥＤ等からなる表示部４２ｂの配設された操作部４２が設けられているとともに、この操作部４２の左方には、硬貨を入金するための硬貨投入口４３が設けられている。また、ケーシング４１の前面には、受皿４４ａを備えた硬貨払出口４４が設けられている。
【００２４】
そして、操作キー４２ａに所定の操作を施した後、硬貨投入口４３に硬貨を投入することによって硬貨はケーシング４１内に導入され、後述する硬貨投入センサ４３０（図２）によって金種が検出され、この検出結果は、硬貨制御手段４０１に入力されるようになっている。また、所定の操作ですでに入金されている硬貨を出金することができるようになっている。また、硬貨制御手段４０１から出力された制御信号に基づいて釣銭が硬貨払出口４４の受皿４４ａに排出されるようになっている。
【００２５】
また、上記硬貨入出金装置４、紙幣入出金装置５および貨幣保管装置６には、金銭登録機２を介して電源からの電力や各種の電気的な制御信号、検出信号等を導通させる、先端部にそれぞれ接続端子４０ａ，５０ａ，６０ａが付設されたリード線４０，５０，６０（電気接続部）が設けられているともに、各ケーシング４１，５１，６１の適所には硬貨入出金装置４、紙幣入出金装置５および貨幣保管装置６間で電気的な接続を行うために、それぞれの接続端子を嵌挿する図略の被接続端子が設けられている。一方、金銭登録機２には、外部の商用電源からの電力を取り入れるための動力線２０が設けられているとともに、上記接続端子４０ａ，５０ａ，６０ａのいずれかを嵌挿するための図略の被接続端子が設けられている。
【００２６】
従って、動力線を外部電源に接続した状態で、上記接続端子４０ａ，５０ａ，６０ａのいずれかを金銭登録機２に接続することにより、硬貨入出金装置４、紙幣入出金装置５および貨幣保管装置６のいずれかが金銭登録機２と電気的に接続され、また、残りのものを金銭登録機２に接続されたものに接続することにより、金銭登録機２を介していずれか２台の貨幣処理装置３に電力が供給されるようになるとともに、選択された３者間で電気的な信号の遣り取りを行い得るようになる。
【００２７】
図２は、硬貨入出金装置４の内部構造の概要を説明するための側面断面視の説明図である。この図に示すように、硬貨入出金装置４のケーシング４１内には、硬貨投入口４３に対向したコインフィーダ４５と、このコインフィーダ４５に連設された硬貨選別部４６と、この硬貨選別部４６から下流側に向けて延設された搬送路４７と、この搬送路４７の下部に並設された６槽の硬貨貯留ホッパー４８と、これら６槽の硬貨貯留ホッパー４８のそれぞれに対向して下部に配設された搬送コンベヤ４９とが設けられている。
【００２８】
上記コインフィーダ４５は、硬貨投入口４３に対向し、かつ、垂直軸４５ｂ回りに同心で共回り可能に設けられた受入れ円盤４５ａと、駆動軸が同心で上記垂直軸４５ｂに結合された受入れモータ４５ｃとからなっている。硬貨投入口４３内の適所には、硬貨が投入されたことを検出する硬貨投入センサ４３０が設けられ、この硬貨投入センサ４３０が硬貨の投入を検出すると、この検出信号によって受入れモータ４５ｃが駆動され、この駆動による受入れ円盤４５ａの垂直軸４５ｂ回りの回転によって硬貨投入口４３内の硬貨が硬貨選別部４６に向けて送り出されるようになっている。
【００２９】
そして、受入れ円盤４５ａの表面には、各種の硬貨の内、最大径寸法のものが入り得る複数の円形凹部が周方向に所定角度ピッチで凹設され、硬貨投入口４３に投入された硬貨は、１つずつがこれら円形凹部に嵌まり込んだ状態で受入れ円盤４５ａの回転によって周方向に移動され、排出位置の適所に設けられた図略のピンに干渉して硬貨選別部４６に向けて排出されるようになっている。
【００３０】
上記硬貨選別部４６は、供給された硬貨の種類と真贋とを検出する硬貨判別センサ４６０を有している。この硬貨判別センサ４６０が硬貨でないと判別したものは図略のリジェクト手段によってリジェクトされ、リジェクトダクト４６ａを通って硬貨払出口４４に排出される一方、硬貨であると判別されたものは、搬送路４７に向けて搬出されるとともに、逐一その金種が硬貨制御手段４０１に入力されるようになっている。
【００３１】
上記搬送路４７は、最も大きい径寸法を有する硬貨が面接触で滑りながら通過し得る溝幅寸法を備えた樋体によって形成され、溝底に上流側から順次対象となる硬貨の径寸法より僅かに幅寸法が大きくなるように穿設された長孔状態の選別孔４７ｘを有している。具体的には、選別孔４７ｘは、最上流側の１円硬貨のみが孔を抜ける第１選別孔４７ａ、この第１選別孔４７ａの下流側に設けられた５０円硬貨の孔抜け用の第２選別孔４７ｂ、続いて５円硬貨孔抜け用の第３選別孔４７ｃ、１００円硬貨孔抜け用の第４選別孔４７ｄ、１０円硬貨孔抜け用の第５選別孔４７ｅ、および５００円硬貨孔抜け用の第６選別孔４７ｆからなっており、各選別孔４７ａ，４７ｂ，４７ｃ，４７ｄ，４７ｅ，４７ｆの孔幅は上流側から下流側に向かうに従い順次大きくしてある。
【００３２】
かかる搬送路４７の上部には、下面側が硬貨の上面に当接して周回する搬送用ベルト４７ｇが敷設され、硬貨はこの搬送用ベルト４７ｇの周回によって搬送路４７の表面を滑りながら下流側に向けて搬送されるようになっている。従って、硬貨選別部４６から搬送路４７に供給された硬貨は、搬送用ベルト４７ｇの周回で搬送路４７を下流側に向かって移動し、硬貨の種類に応じて各選別孔４７ａ，４７ｂ，４７ｃ，４７ｄ，４７ｅ，４７ｆのいずれかから下方に落下することになる。
【００３３】
上記硬貨貯留ホッパー４８は、上記選別孔４７ｘの下方に配設されている。かかる硬貨貯留ホッパー４８としては、第１選別孔４７ａに対応した第１ホッパー４８ａ、第２選別孔４７ｂに対応した第２ホッパー４８ｂ、第３選別孔４７ｃに対応した第３ホッパー４８ｃ、第４選別孔４７ｄに対応した第４ホッパー４８ｄ、第５選別孔４７ｅに対応した第５ホッパー４８ｅ、および第６選別孔４７ｆに対応した第６ホッパー４８ｆの合計６槽が設けられている。
【００３４】
従って、搬送路４７を搬送されつつある硬貨は、その金種に応じて選別孔４７ａ〜４７ｆのいずれかから下方に落下してその孔に対応した硬貨貯留ホッパー４８内に投入されて貯留される。具体的には１円硬貨は第１ホッパー４８ａに、５０円硬貨は第２ホッパー４８ｂに、５円硬貨は第３ホッパー４８ｃに、１００円硬貨は第４ホッパー４８ｄに、１０円硬貨は第５ホッパー４８ｅに、５００円硬貨は第６ホッパー４８ｆにそれぞれ選別されて貯溜されることになる。
【００３５】
各硬貨貯留ホッパー４８（第１〜第６ホッパー４８ａ〜４８ｆ）の底部には、駆動モータの駆動で動作する硬貨払出し用の硬貨払出し機構４８ｇが設けられている。この硬貨払出し機構４８ｇは、上記コインフィーダ４５と同様に硬貨を嵌め込む円形凹部を備えた受入れ円盤を有しており、この受入れ円盤の回転で硬貨貯留ホッパー４８内の硬貨が順次払い出されるようになっている。
【００３６】
また、硬貨払出し機構４８ｇの近傍には、排出された硬貨の枚数を検出する硬貨枚数検出センサ４８０が設けられ、硬貨が払い出される都度この硬貨枚数検出センサ４８０によって枚数が計数されるようになっている。そして、この枚数が統括制御手段２６からの釣銭情報による払出し枚数に一致したとき硬貨払出し機構４８ｇが停止されるようになっている。
【００３７】
上記搬送コンベヤ４９は、ケーシング４１内の底部であって、各硬貨貯留ホッパー４８（第１〜第６ホッパー４８ａ〜４８ｆ）の硬貨払出し機構４８ｇに対応した位置から硬貨払出口４４に向けて延びるように配設され、その周回によって硬貨払出し機構４８ｇの駆動で落下した硬貨を硬貨払出口４４に向けて搬送するようになされている。
【００３８】
かかる硬貨入出金装置４の構成によれば、硬貨を硬貨入出金装置４に入金するに際し各金種の硬貨を取り混ぜて硬貨投入口４３に投入すると、この投入が硬貨投入センサ４３０によって検出され、この検出信号に基づく受入れモータ４５ｃの駆動で受入れ円盤４５ａが垂直軸４５ｂ回りに回転し、硬貨投入口４３内の硬貨を硬貨選別部４６に向けて送り出す。そして、硬貨選別部４６に到達した硬貨は、ここで逐一硬貨判別センサ４６０によって金種が検出されたのち搬送路４７に向けて搬出される。上記硬貨判別センサ４６０による検出結果は、逐一硬貨制御手段４０１に入力されて記憶される。
【００３９】
搬送路４７に送り出された硬貨は、搬送用ベルト４７ｇの駆動で搬送路４７に沿って搬送され、金種に応じてそれぞれ所定の硬貨貯留ホッパー４８（第１〜第６ホッパー４８ａ〜４８ｆ）に貯留される。従って、硬貨投入口４３内が空になったときには、金種毎の硬貨が、それぞれ対応した第１〜第６ホッパー４８ａ〜４８ｆ内に貯留されるとともに、各硬貨貯留ホッパー４８にそれぞれ貯留された硬貨の枚数が硬貨制御手段４０１に記憶された状態になる。
【００４０】
硬貨入出金装置４からの硬貨の払い出しは、金銭登録機２の操作用入力部２２ｂにおける所定のキーイン操作によって行われる。すなわち、操作用入力部２２ｂに対して所定のキーイン操作を行うことにより、硬貨制御手段４０１から払い出しが必要な硬貨貯留ホッパー４８の硬貨払出し機構４８ｇに向けてを介して制御信号が出力され、これによる硬貨払出し機構４８ｇの駆動によってその硬貨貯留ホッパー４８内の硬貨が搬送コンベヤ４９に向けて払い出される。払い出された硬貨の枚数は逐一硬貨枚数検出センサ４８０によって検出され、その枚数が予め設定された枚数に到達すると、制御信号が硬貨制御手段４０１から出力され、これによって硬貨払出し機構４８ｇが停止されて硬貨の払い出しが中止される。
【００４１】
そして、硬貨貯留ホッパー４８から払い出された各金種の硬貨は、搬送コンベヤ４９の駆動で硬貨払出口４４まで運ばれ、硬貨払出口４４内に向けて排出されることになる。
【００４２】
上記紙幣入出金装置５は、図１に示すように、外形寸法が硬貨入出金装置４と略同一の長尺箱型のケーシング５１に各種の機器が内装されることによって構成されている。かかるケーシング５１の前方上面には、操作キー５２ａおよびＬＥＤ等からなる表示部５２ｂの配設された操作部５２が設けられている。また、ケーシング５１の前面上部には紙幣を入金するための紙幣入金口５３が設けられているとともに、同前面下部には紙幣を払い出すための紙幣出金口５４が設けられている。
【００４３】
そして、紙幣を紙幣入金口５３に差し入れることによって、後述する紙幣差入れセンサ５３０（図３）が紙幣の差し入れを検出し、紙幣はケーシング５１内に導入される一方、金銭登録機２から出力された制御信号に基づいてスタッカー５８に貯留されている紙幣が紙幣出金口５４に排出されるようになっている。
【００４４】
図３は、紙幣入出金装置５の内部構造の概要を説明するための側面断面視の説明図である。この図に示すように、紙幣入出金装置５のケーシング５１内には、紙幣入金口５３に沿って付設された紙幣フィーダ５５と、この紙幣フィーダ５５の下流側で金種および真贋を識別する紙幣識別部５６と、この紙幣識別部５６からの紙幣を搬送する送込み搬送ベルト５７と、この送込み搬送ベルト５７からの紙幣を貯留するスタッカー５８と、このスタッカー５８からの紙幣を紙幣出金口５４に向けて送り出す紙幣排出機構５９とが設けられている。
【００４５】
上記紙幣フィーダ５５は、受入れモータ５５ｂの駆動で水平軸５５ｃ回りに回転する受入れローラ５５ａと、上方でこの受入れローラ５５ａに接触対向したガイドプレート５５ｅとを備えて構成されている。ガイドプレート５５ｅは、図略の付勢手段の付勢力によって受入れローラ５５ａの周面に押し付けられている。紙幣入金口５３に差し入れられた紙幣は、受入れローラ５５ａの回転に引きずられてガイドプレート５５ｅを僅かに上方に押し広げた状態で１枚ずつが紙幣識別部５６に向けて繰り出されるようになっている。
【００４６】
かかる紙幣フィーダ５５の近傍には紙幣入金口５３に紙幣が差し入れられたことを検出する紙幣差入れセンサ５３０が設けられ、紙幣フィーダ５５は、紙幣差入れセンサ５３０が紙幣入金口５３に紙幣の差し入れられたことを検出することによって駆動するようになっている。
【００４７】
上記紙幣識別部５６は、内部に金種および真贋を識別する所定の紙幣識別センサ５６０を有し、紙幣識別部５６に送り込まれた紙幣は、この紙幣識別センサ５６０によって金種および真贋が識別された後、第１および第２の金種（１，０００円札および５，０００円札）であって真正と判別された紙幣は送込み搬送ベルト５７に向けて送り出される一方、第３の金種（１０，０００円札）および偽物または不良と判別された紙幣は紙幣識別部５６と送込み搬送ベルト５７との間で下方に向けて延設されたリジェクト搬送路５６ａに向けて送り出されるようになっている。リジェクト搬送路５６ａに送り出された紙幣は、このリジェクト搬送路５６ａの途中に設けられた分岐手段５６ｃで第３の金種の紙幣と不良紙幣とに別けられ、ケーシング５１の底部に設けられた抽斗５１ａ内の第３金種ホッパー５１ｂおよびリジェクトホッパー５１ｃにそれぞれ回収されるようになっている。
【００４８】
上記送込み搬送ベルト５７は、第１搬送ベルト５７ａと、この第１搬送ベルト５７ａの下流端に直列に連設された第２搬送ベルト５７ｂとからなっている。各搬送ベルト５７ａ，５７ｂは、上下で対向しかつ表面が互いに当接した上ベルトと下ベルトとからなり、紙幣はこれら上下のベルトに挟持された状態で各ベルトの周回によって下流側に向けて搬送されるようになっている。
【００４９】
第１搬送ベルト５７ａの上流端近傍には、水平軸回りに回動して紙幣識別部５６から送り出された紙幣を真正のものと偽物とに振り分ける真贋振分けフラッパ５６ｂが設けられている。この真贋振分けフラッパ５６ｂは、水平方向に延びるように位相設定された状態でその表面に紙幣識別部５６から第１搬送ベルト５７ａに橋渡しする搬送路が形成される一方、水平軸に立設された状態に位相設定されることにより、不良紙幣がその裏面に誘導されることによってリジェクト搬送路５６ａに送り込まれるようになっている。
【００５０】
また、第１搬送ベルト５７ａと第２搬送ベルト５７ｂとの間には、上記真贋振分けフラッパ５６ｂと同様の構成を有する金種振分けフラッパ５７ｃが設けられ、第１の金種（１，０００円札）は、立設姿勢に設定された金種振分けフラッパ５７ｃに誘導されて下方に落される一方、第２の金種は、水平姿勢に設定された金種振分けフラッパ５７ｃに誘導されて第２搬送ベルト５７ｂに送り出され、下流端から下方に落されるようになっている。
【００５１】
そして、上記真贋振分けフラッパ５６ｂ、金種振分けフラッパ５７ｃ、および分岐手段５６ｃは、いずれも紙幣識別センサ５６０の検出結果に基づく紙幣制御手段５０１からの制御信号によって動作するように構成されており、各種の紙幣が混在した紙幣束を紙幣入金口５３に差し入れることによって、紙幣の１枚ずつが紙幣フィーダ５５によって紙幣識別部５６に順次送り込まれ、ここで紙幣識別センサ５６０により金種および真贋が判別され、真贋振分けフラッパ５６ｂ、金種振分けフラッパ５７ｃ、および分岐手段５６ｃが上記判別結果に基づく所定の動作を行うことによってそれぞれの振り分け先に送り込まれることになる。
【００５２】
上記スタッカー５８は、送込み搬送ベルト５７の下部であって、上面開口の左端部が上記金種振分けフラッパ５７ｃに対向した第１スタッカー５８ａと、同左端部が上記第２搬送ベルト５７ｂの下流端に対向した第２スタッカー５８ｂとからなっている。第１スタッカー５８ａは、第１の金種（１，０００円札）の紙幣が貯留されるものであり、第２スタッカー５８ｂは、第２の金種（５，０００円札）の紙幣が貯留されるものである。これらのスタッカー５８に投入された紙幣は、水平姿勢を維持したまま緩やかに下降してスタッカー５８の底部に順次積層されるようになっている。
【００５３】
かかるスタッカー５８は、底板の図３における右端部が開口されているとともに、上記底板の下方位置に敷設された繰出しベルト５８ｃと、この繰出しベルト５８ｃの右端部に形成され、かつ、上記開口部分に位置した紙幣の先端部が当接するように位置設定された繰出しローラ５８ｄと、この繰出しローラ５８ｄの外周面を覆った円弧カバー５８ｅを有しており、図略の駆動手段の駆動による、互いに同期した繰出しベルト５８ｃの周回および繰出しローラ５８ｄの回転によって、スタッカー５８内で底板上に積層された紙幣が右方に向けて繰り出され、引き続き円弧カバー５８ｅに誘導されて進行方向が逆転された状態で外部に排出されるようになっている。また、繰出しローラ５８ｄの近傍には紙幣が繰り出されたことを検出する紙幣繰出しセンサ５８０が設けられている。この紙幣繰出しセンサ５８０によって検出された繰り出し枚数は、紙幣制御手段５０１に入力されて計数されるようになっている。
【００５４】
そして、上記繰出しベルト５８ｃおよび繰出しローラ５８ｄは、紙幣制御手段５０１からの駆動開始の制御信号によって駆動され、予め設定された枚数の紙幣の繰り出しが行われたことが紙幣繰出しセンサ５８０の検出結果から判別されると、紙幣制御手段５０１からは駆動停止の制御信号が出力され、これによる繰出しベルト５８ｃおよび繰出しローラ５８ｄの停止によってスタッカー５８からの紙幣の繰り出しが止められることになる。
【００５５】
上記紙幣排出機構５９は、払出しコンベヤ５９ａと、この払出しコンベヤ５９ａの下流端に近接して設けられた払出しスタッカー５９ｂとを備えて形成されている。払出しコンベヤ５９ａは、往きベルトが各スタッカー５８ａ，５８ｂの円弧カバー５８ｅの紙幣排出口に対向するとともに、各繰出しベルト５８ｃの返りベルトに当接するように前後方向に長尺に配設され、これによって円弧カバー５８ｅに誘導されつつ繰出しローラ５８ｄの駆動で繰り出された紙幣は、払出しコンベヤ５９ａの往きベルトと、繰出しベルト５８ｃの返りベルトに挟持された状態で払出しスタッカー５９ｂに向けて送り出されるようになっている。
【００５６】
上記払出しスタッカー５９ｂは、角筒状のスタッカー本体５９ｃと、このスタッカー本体５９ｃの底面開口を塞ぐように配設された前後方向に延びる払出しベルト５９ｄと、スタッカー本体５９ｃ内で昇降する昇降ベルト５９ｅとからなっている。昇降ベルト５９ｅは、前後のプーリー間で周回しながら図略の昇降手段の駆動によって全体的に昇降するように構成されている。そして、払出しコンベヤ５９ａの駆動でスタッカー本体５９ｃ内に１バッチ当り１枚または複数枚の紙幣が供給された後に昇降ベルト５９ｅが下降され、これによってスタッカー本体５９ｃ内の紙幣が昇降ベルト５９ｅと払出しベルト５９ｄとによって挟持された状態になるようにしている。この状態で昇降ベルト５９ｅを時計方向に周回させるとともに、払出しベルト５９ｄを反時計方向に周回させることによって、スタッカー本体５９ｃ内で積層された紙幣が紙幣出金口５４に向けて払い出されるようになっている。
【００５７】
かかる紙幣入出金装置５の構成によれば、第１および第２の貨幣を紙幣入金口５３に差し入れることにより、紙幣差入れセンサ５３０がそれを検出して紙幣フィーダ５５のが駆動し、紙幣は１枚ずつが紙幣識別部５６に供給されてここで金種および真贋が逐一判別され、この判別結果に基づいて第１の紙幣（１，０００円札）は第１スタッカー５８ａに送り込まれるとともに、第２の紙幣（５，０００円札）は第２スタッカー５８ｂに送り込まれる。また、第３の紙幣（１０，０００円札）は、第３金種ホッパー５１ｂに送り込まれる。因に、第３の紙幣が自動的な払い出し操作を行うことができない第３金種ホッパー５１ｂに収納されるのは、最高額紙幣である第３の紙幣は、顧客から受け取って紙幣入出金装置５に入金することがあっても、釣銭として払い出すことがないからである。また、紙幣識別部５６での紙幣識別センサ５６０による検出の結果、不良紙幣であると判定されたものは、リジェクトホッパー５１ｃに貯留される。
【００５８】
そして、紙幣入出金装置５からの出金に際しては、金銭登録機２の操作用入力部２２ｂにおける所定のキーイン操作によって行われる。すなわち、操作用入力部２２ｂに対して所定のキーイン操作を行うことにより、統括制御手段２６から釣銭情報が紙幣制御手段５０１に向けて出力され、これを受けた紙幣制御手段５０１が払い出しの必要な繰出しローラ５８ｄに向けて駆動信号を出力し、これによる繰出しローラ５８ｄの駆動、および繰出しベルト５８ｃと払出しコンベヤ５９ａの駆動によってそのスタッカー５８内の紙幣が払出しコンベヤ５９ａに向けて払い出される。払い出された紙幣の枚数は逐一紙幣繰出しセンサ５８０によって検出され、その枚数が予め設定された枚数に到達すると、紙幣制御手段５０１からの停止信号が出力され、これによって繰出しベルト５８ｃおよび繰出しローラ５８ｄが停止して紙幣の払い出しが中止される。
【００５９】
そして、スタッカー５８から払い出された各金種の紙幣は、払出しコンベヤ５９ａの駆動で払出しスタッカー５９ｂ向けて送られ、ここで一旦貯留された後、払出しベルト５９ｄおよび昇降ベルト５９ｅの駆動で紙幣出金口５４に繰り出されることになる。
【００６０】
図４は、貨幣保管装置６の内部構造の概要を説明するための側面断面視の説明図である。貨幣保管装置６は、硬貨入出金装置４および紙幣入出金装置５の補助として用いられるものであり、硬貨入出金装置４と組み合わせて使用されるときには、主に紙幣を保管する用に供され、紙幣入出金装置５と組み合わせて使用されるときは、主に硬貨を保管する用に供されるものである。
【００６１】
かかる貨幣保管装置６は、図４に示すように、硬貨入出金装置４および紙幣入出金装置５と略同一の立体形状を呈した長尺箱型のケーシング６１と、このケーシング６１に挿脱自在に装着された抽斗状の貨幣収納ボックス６２とからなっている。ケーシング６１の前面には、貨幣収納ボックス６２を装着するための開口６１ａが設けられ、貨幣収納ボックス６２は、この開口６１ａを通してケーシング６１に対して挿脱自在に嵌め込まれている。
【００６２】
貨幣収納ボックス６２は、四面を囲む周壁と、底部を覆う底板と、ボックス内を仕切る仕切り板とを備えて形成され、ボックス内は仕切り板によって仕切られた複数の貨幣収納空間を有している。具体的には、貨幣収納ボックス６２の前方側（図４の左方側）に硬貨を収納する硬貨トレイ６２ａが着脱自在に設けられているとともに、この貨幣収納空間６２ａの下方部分に紙幣を収納する紙幣収納空間６２ｂが形成されている。また、貨幣収納ボックス６２の後方側には、積み重ねた硬貨を紙で包んだ、いわゆる棒金を収納する棒金収納空間６２ｃが形成されている。かかる貨幣収納ボックス６２は、コイルばね等の付勢手段６３の付勢力によってケーシング６１から引き出される方向に付勢されているとともに、奥部にまで押し込まれた状態で所定のロック手段６４によってロックされ、これによってケーシング６１への収納状態がロックされるようになっている。
【００６３】
このロック手段６４は、金銭登録機２の操作用入力部２２ｂの所定の操作キーを操作することによってロック状態が解除されるように構成されている。従って必要の都度、キー操作を行って貨幣収納ボックス６２をケーシング６１から引き出すことができるとともに、ケーシング６１内に納めるときには、手で貨幣収納ボックス６２を押し込めばよく、こうすることによって貨幣収納ボックス６２はロック手段６４によってロックされて引き出しが阻止された収納状態になる。
【００６４】
そして、本発明の貨幣入出金装置１は、上記のような金銭登録機２が、貨幣処理装置３である硬貨入出金装置４、紙幣入出金装置５および貨幣保管装置６のいずれか２つ同士と組み合わされることによって、実際の現場第一線での出納処理のための金銭出納機が形成されるようにしたものである。
【００６５】
そのために本発明においては、直方体状に形成された硬貨入出金装置４、紙幣入出金装置５および貨幣保管装置６の幅寸法は金銭登録機２の幅寸法の２分の１より若干大きめに寸法設定されているとともに、前後寸法は金銭登録機２の前後寸法の略１．５倍に寸法設定されている。こうすることによって、硬貨入出金装置４、紙幣入出金装置５および貨幣保管装置６の内のいずれか２台を並設した状態で、その上面後方に金銭登録機２を安定的に載置して各種の金銭出納機を構成することができるようになっている。
【００６６】
図５は、本発明に係る金銭出納機の第１実施形態（第１金銭出納機１１）を示す斜視図である。この図に示すように、第１金銭出納機１１は、上記硬貨入出金装置４と、上記貨幣保管装置６とを並設した状態で、これらの後部上面に金銭登録機２を載置することによって形成されている。金銭登録機２の統括制御手段２６と、硬貨入出金装置４内の硬貨制御手段４０１とは信号線によって接続され、釣銭情報が統括制御手段２６から硬貨制御手段４０１に向けて出力されるようになっている。そして、釣銭情報の入力された硬貨制御手段４０１は、各種の機器（例えばコインフィーダ４５の受入れモータ４５ｃや硬貨投入センサ４３０、硬貨選別部４６の硬貨判別センサ４６０、あるいは硬貨貯留ホッパー４８の硬貨枚数検出センサ４８０や硬貨払出し機構４８ｇ等）に向けて駆動信号を出力するとともに、各種のセンサーからの検出信号が硬貨制御手段４０１に入力されるようになっている。
【００６７】
こうすることによって硬貨入出金装置４の硬貨投入センサ４３０や硬貨判別センサ４６０からの検出信号が硬貨制御手段４０１に入力される一方、金銭登録機２の金額入力部２２ａや操作用入力部２２ｂからの入力信号が統括制御手段２６および硬貨制御手段４０１を介して硬貨入出金装置４に制御信号として伝達されることになる。この制御信号の出力に際しては、上記検出信号が参酌され、これによって適正な指令（駆動信号）が統括制御手段２６から硬貨入出金装置４内の各機器に向けて出力され、各機器が所期の動作を行うことによって硬貨入出金装置４に対する硬貨の入出金操作を適正に行うことになる。
【００６８】
因に、第１金銭出納機１１においては、紙幣の入出金は、貨幣保管装置６を用いてマニュアルで行う。金銭登録機２と貨幣保管装置６とは、ロック手段６４（図４）による貨幣収納ボックス６２のロック状態を解除するための制御信号を伝達する信号線のみで電気的に接続されているのみである。なお、金銭登録機２と貨幣保管装置６とは、本実施形態のように従来通りの方式で電気的に直接接続してもよいし、硬貨入出金装置４を介して接続するようにしてもよい。
【００６９】
第１金銭出納機１１の具体的な操作例は以下の通りである。まず、顧客が購入した商品の金額は、金額入力部２２ａのキーイン操作によって、あるいは図略のバーコードリーダーによって読み取られて統括制御手段２６に入力される。この合計金額が例えば６，５４０円であり、顧客から１万円札を預かったとする。この場合、まず預かり金額の１万円が金額入力部２２ａから入力され、これによって統括制御手段２６で釣銭の３，４６０円が演算される。そして、操作用入力部２２ｂに所定の入力操作を行うことによって貨幣収納ボックス６２が引き出されるため、これに預かった１万円を収納する。
【００７０】
一方、統括制御手段２６からは、硬貨制御手段４０１に向けて釣銭の内の硬貨の部分の情報、すなわち４６０円が出力される。この情報の入力された硬貨制御手段は、硬貨貯留ホッパー４８の所定の硬貨払出し機構４８ｇに出金のための制御信号を出力するため、所定の硬貨払出し機構４８ｇの駆動によって４６０円（１００円硬貨４枚と５０円硬貨１枚と１０円硬貨１枚）が搬送コンベヤ４９を介して硬貨払出口４４に排出される。この硬貨の４６０円と、開いている貨幣収納ボックス６２から取り出した１，０００円札３枚との合計金額である３，４６０円が顧客に釣銭として戻されることになる。
【００７１】
かかる第１金銭出納機１１は、硬貨を釣銭として使用することが多い業種、例えば日用雑貨品等の小物や食料品を扱う小売店、スーパーマーケット等への適用が好ましい。
【００７２】
図６は、本発明に係る金銭出納機の第２実施形態（第２金銭出納機１２）を示す斜視図である。この図に示すように、第２金銭出納機１２は、上記紙幣入出金装置５と、上記貨幣保管装置６とを並設した状態で、これらの上面後部に金銭登録機２を載置することによって形成されている。金銭登録機２の統括制御手段２６と紙幣入出金装置５内の紙幣制御手段５０１とは、信号線によって互いに接続されている。紙幣入出金装置５内の各種の機器（例えば紙幣フィーダ５５の紙幣フィーダ５５や紙幣差入れセンサ５３０、紙幣識別部５６の紙幣識別センサ５６０、あるいはスタッカー５８の紙幣繰出しセンサ５８０や繰出しベルト５８ｃおよび繰出しローラ５８ｄ等）には、紙幣制御手段５０１からの駆動信号が出力されるようになっている。また、各センサーからの検出信号は紙幣制御手段５０１に入力されるようになっている。
【００７３】
こうすることによって金銭登録機２の釣銭情報が紙幣制御手段５０１を介して紙幣入出金装置５に制御信号として伝達され、これを受けた紙幣制御手段５０１は、各センサからの検出信号を参照しながら適正な指令（制御信号）を紙幣入出金装置５内の各機器に向けて出力し、各機器が所期の動作を行うことによって紙幣入出金装置５に対する紙幣の入出金操作を適正に行うことができるようになっている。
【００７４】
因に、第２実施形態においては、硬貨の入出金は、貨幣保管装置６を用いてマニュアルで行う。金銭登録機２と貨幣保管装置６とは、ロック手段６４（図４）による貨幣収納ボックス６２のロック状態を解除するための制御信号を伝達する信号線のみで電気的に接続されているのみである。なお、金銭登録機２と貨幣保管装置６とは、本実施形態のように従来通りの方式で電気的に直接接続してもよいし、紙幣入出金装置５を介して接続するようにしてもよい。
【００７５】
第２金銭出納機１２の具体的な操作例は以下の通りである。まず、顧客が購入した商品の金額は、金額入力部２２ａのキーイン操作によって、あるいは図略のバーコードリーダーによって読み取られて統括制御手段２６に入力される。この合計金額が例えば３６，５４０円であり、顧客から１万円札を４枚預かったとする。この場合、まず預かり金額の４万円が金額入力部２２ａから入力され、これによって統括制御手段２６で釣銭の３，４６０円が演算される。そして、操作用入力部２２ｂに所定の入力操作を行うことによって貨幣収納ボックス６２が引き出される。
【００７６】
一方、紙幣制御手段５０１からは、スタッカー５８の繰出しベルト５８ｃ、繰出しローラ５８ｄおよび払出しコンベヤ５９ａに出金のための制御信号が出力され、これによる繰出しベルト５８ｃ等の駆動によって３，０００円（千円札３枚）が紙幣排出機構５９を介して紙幣出金口５４に排出される。この３，０００円と、開いている貨幣収納ボックス６２から取り出した硬貨の４６０円との合計金額である３，４６０円が顧客に釣銭として戻されることになる。受け取った１万円札４枚は、紙幣入金口５３を介して第３金種ホッパー５１ｂに収納される。
【００７７】
かかる第２金銭出納機１２は、紙幣を釣銭として使用することが多い高額商品を扱う業種の小売店等への適用が好ましい。
【００７８】
図７は、本発明に係る金銭出納機の第３実施形態（第３金銭出納機１３）を示す斜視図である。この図に示すように、第３金銭出納機１３は、上記硬貨入出金装置４と紙幣入出金装置５とを並設した状態で、これらの上面後部に金銭登録機２を載置することによって形成されている。金銭登録機２の統括制御手段２６と、硬貨入出金装置４および紙幣入出金装置５内の各種の機器との間には、硬貨制御手段４０１および紙幣制御手段５０１を介して制御信号や検出信号等の各種のデータを授受するための信号線が接続されている。硬貨入出金装置４および紙幣入出金装置５の機能については先に説明した通りであり、貨幣保管装置６を用いることなく、硬貨入出金装置４および紙幣入出金装置５によって硬貨および紙幣の入出金操作を自動的に行うことが可能になる。
【００７９】
このように第３実施形態においては、硬貨の入出金を硬貨入出金装置４で行うとともに、紙幣の入出金を紙幣入出金装置５で行うようにしているため、先の第１および第２実施形態のように貨幣保管装置６を用いてマニュアル操作で釣銭の勘定を行う必要がなくなり、入出金操作を迅速にかつ正確に行う上で極めて好都合である。かかる第３金銭出納機１３は、あらゆる業種に適用することができ、汎用性に富んでいる。
【００８０】
【発明の効果】
本発明の請求項１記載の貨幣入出金装置によれば、計算機能を備えた金銭登録機と、入出金に使用される貨幣処理装置とで金銭出納機を形成する貨幣入出金装置であって、貨幣処理装置として硬貨を入出金する硬貨入出金装置と、紙幣を入出金する紙幣入出金装置と、貨幣を保管する貨幣保管装置とを備え、金銭登録機と、硬貨入出金装置、紙幣入出金装置および貨幣保管装置の内のいずれか２台とで金銭出納機を形成しているため、選択した２種類のものと金銭登録機とで金銭出納機を構成することにより、得られた金銭出納機は、不要な貨幣処理装置が付設されていない、すなわち過剰装置になっていないユーザーが実質的に所望するものになっており、不要な機能が負荷されていない分、金銭出納機を安価なものにすることができる。
【００８１】
そして、硬貨入出金装置、紙幣入出金装置および貨幣保管装置はそれぞれ上面が略偏平でかつ略同一高さ寸法に設定したため、選択された２種類の貨幣入出金装置は、それらを並設することによってそれぞれの上面を略面一状態にすることができる。従って、並設された２台の上面を各種の物品を載置するテーブル等として有効に利用することができる。
【００８２】
また、硬貨入出金装置、紙幣入出金装置および貨幣保管装置の内の選択した２台を並列配置し、その上に金銭登録機を配置するようにしたため、２台の貨幣処理装置に並べて金銭登録機を配置する場合に比較して金銭出納機の占有面積が小さくなり、その分金銭登録機の近傍の平面を物品の載置面やテーブルとして有効に利用することができる。
【００８３】
本発明の請求項２記載の貨幣入出金装置によれば、金銭登録機に入力操作部を設けるとともに、硬貨入出金装置および紙幣入出金装置に貨幣の入出金動作を行う入出金動作部と、金銭登録機に対して着脱可能な電気接続部とを設けたため、金銭登録機の入力操作部に対する所定の入力操作によって電気的に接続されている硬貨入出金装置あるいは紙幣入出金装置の入出金動作部を動作させることが可能になり、これによって特に硬貨入出金装置や紙幣入出金装置を操作しなくても貨幣の入出金処理を行うことができる。
【００８４】
本発明の請求項３記載の貨幣入出金装置によれば、硬貨入出金装置、紙幣入出金装置および貨幣保管装置の内から選択された２台を、金銭登録機に対し一方を介して他方に電気的に接続するようにしたため、金銭登録機に接続用の端子を１つだけ設けておくことで、２台の入出金装置を金銭登録機に接続することが可能になり、その分金銭登録機の部品コストおよび組付けコストを軽減することができる。
【図面の簡単な説明】
【図１】本発明の貨幣入出金装置の一実施形態を示す斜視図である。
【図２】硬貨入出金装置の内部構造の概要を説明するための側面断面視の説明図である。
【図３】紙幣入出金装置の内部構造の概要を説明するための側面断面視の説明図である。
【図４】貨幣保管装置の内部構造の概要を説明するための側面断面視の説明図である。
【図５】本発明に係る金銭出納機の第１実施形態（第１金銭出納機）を示す斜視図である。
【図６】本発明に係る金銭出納機の第２実施形態（第２金銭出納機）を示す斜視図である。
【図７】本発明に係る金銭出納機の第３実施形態（第３金銭出納機）を示す斜視図である。
【符号の説明】
１  貨幣入出金装置            １１  第１金銭出納機
１２  第２金銭出納機          １３  第３金銭出納機
２  金銭登録機                ２１  ケーシング
２２  操作パネル部            ２２ａ  金額入力部
２２ｂ  操作用入力部          ２３  出力パネル
２４  ディスプレー            ２５  レシート発行口
２６  統括制御手段            ３  貨幣処理装置
４  硬貨入出金装置            ４０  リード線
４０ａ  接続端子              ４１  ケーシング
４２  操作部                  ４３  硬貨投入口
４３０  硬貨投入センサ        ４４  硬貨払出口
４５  コインフィーダ          ４５ａ  受入れ円盤
４５ｂ  垂直軸                ４５ｃ  受入れモータ
４６  硬貨選別部              ４６ａ  リジェクトダクト
４６０  硬貨判別センサ        ４７  搬送路
４７ｘ  選別孔                ４７ａ〜４７ｆ  第１〜第６選別孔
４８  硬貨貯留ホッパー        ４８０  硬貨枚数検出センサ
４８ａ〜４８ｆ  第１〜第６ホッパー
４８ｇ  硬貨払出し機構        ４９  搬送コンベヤ
５  紙幣入出金装置            ５０  リード線
５０ａ  接続端子              ５１  ケーシング
５２  操作部                  ５２ａ  操作キー
５２ｂ  表示部                ５３  紙幣入金口
５３０  紙幣差入れセンサ      ５４  紙幣出金口
５５  紙幣フィーダ            ５５ａ  受入れローラ
５５ｂ  受入れモータ          ５５ｃ  水平軸
５６  紙幣識別部              ５６０  紙幣識別センサ
５６ａ  リジェクト搬送路      ５６ｂ  真贋振分けフラッパ
５６ｃ  分岐手段              ５７  送込み搬送ベルト
５７ａ  第１搬送ベルト        ５７ｂ  第２搬送ベルト
５８  スタッカー              ５８０  紙幣繰出しセンサ
５８ａ  第１スタッカー        ５８ｂ  第２スタッカー
５９  紙幣排出機構            ５９ａ  払出しコンベヤ
５９ｂ  払出しスタッカー      ５９ｃ  スタッカー本体
５９ｄ  払出しベルト          ５９ｅ  昇降ベルト
６  貨幣保管装置              ６０  リード線
６０ａ  接続端子              ６１  ケーシング
６２  貨幣収納ボックス        ６３  付勢手段
６４  ロック手段
【図１】
0004162299.tif 000002
【図２】
0004162299.tif 000003
【図３】
0004162299.tif 000004
【図４】
0004162299.tif 000005
【図５】
0004162299.tif 000006
【図６】
0004162299.tif 000007
【図７】
0004162299.tif 000008